(57)【特許請求の範囲】
【請求項１】
巻き戻した際のスプリングの反発力により、ロールスクリーンが外周面に巻き取られる巻き取りローラを備えたロールスクリーンの巻き取り装置において、
軸方向に沿って突設された雄ねじ部を備え、巻き取りローラを回転自由に支持すると共に、巻き取りローラの取り付けフレームに固定される固定部と、
軸方向の一端壁に前記雄ねじ部が螺合する雌ねじ部が貫通形成されていると共に、外周面に巻き取りローラの内周面に形成した回り止め用の係合部に係合する被係合部を備え、巻き取りローラの回転に伴って回転することにより、軸方向に沿ってスライドし、前記固定部の雄ねじ部が一端壁から中空部内に出没可能に設けられた筒状ホルダと、
前記固定部の雄ねじ部に本体ケースが接し、前記筒状ホルダの蓋部材にピストンロッドが接した形、又は前記雄ねじ部にピストンロッドが接し、前記蓋部材に本体ケースが接した形で、前記筒状ホルダの中空部内に軸方向に沿って装填されるショックアブソーバと、を有することを特徴とするロールスクリーンの巻き取り装置。
【請求項２】
請求項１記載のロールスクリーンの巻き取り装置であって、前記ショックアブソーバの衝撃吸収力が、少なくともロールスクリーンの巻き取り最終点付近において、それ以前の衝撃吸収力よりも強くなるように設定されていることを特徴とするロールスクリーンの巻き取り装置。
【請求項３】
請求項２記載のロールスクリーンの巻き取り装置であって、前記ショックアブソーバとして、衝撃吸収力が異なるように設定された２以上のショックアブソーバを使用し、該２以上のショックアブソーバを前記筒状ホルダの中空部内に直列に配置したことを特徴とするロールスクリーンの巻き取り装置。
【発明の詳細な説明】
【０００１】
【発明の属する技術分野】
本発明は、壁や窓等に掛けるブラインドや屏風、あるいは映写用の幕等として用いられるロールスクリーンの巻き取り装置に関する。
【０００２】
【従来の技術】
この種のロールスクリーンは、該ロールスクリーンを巻き取る巻き取りローラと、巻き取ったロールスクリーンを収容する収納ケースと、ロールスクリーンを自動的に巻き取るため、巻き戻した際に捻られるスプリングとを備えて構成されている。また、スプリングの反発力によりロールスクリーンを巻き取った際の巻き取りスピードを減速するため、巻き取りローラ内にショックアブソーバを固定配設すると共に、該ショックアブソーバのピストンロッドを押圧するため、巻き取りローラの回転に伴って該巻き取りローラ内をスライドするナット部材により、該ピストンロッドを押圧可能な構造のものが知られている。
【０００３】
【発明が解決しようとする課題】
しかしながら、上記した構造では、ショックアブソーバを筒状の巻き取りローラ内に固定しなけれならず、その作業が非常に面倒である。また、ショックアブソーバの衝撃吸収力の発揮位置の調整に当たっては、ピストンロッドとナット部材との初期設定距離の調整によって行っているが、ピストンロッドとナット部材が分離しているため、この距離の調整を正確に行うことが困難であった。
【０００４】
また、ロールスクリーンを使用する者は、見た目の印象度から、本来的に、巻き取りスピードが速めであることを望む。しかしながら、上記した従来のショックアブソーバを使用したものは、ナット部材がピストンロッドに当接した後の減速度合いは一定である。このため、ショックアブソーバの衝撃吸収力が強い場合には、ナット部材がピストンロッドに当接したときから急減速し、その時点からゆっくりとロールスクリーンが巻き取られることになる。一方、ショックアブソーバの衝撃吸収力が弱い場合には、巻き取りスピードがあまり減速せずに、ロールスクリーンの巻き取り最終点において衝撃を発生する。従って、ショックアブソーバのピストンロッドが圧縮し始めたなら、初期においてはあまり衝撃吸収力を発揮しないものの、後半部分、特に、ロールスクリーンの巻き取り最終点付近において衝撃吸収力が大きくなるような衝撃吸収特性を発揮できることが望まれている。
【０００５】
本発明は上記した点に鑑みなされたものであり、ショックアブソーバを用いた巻き取り装置であって、該ショックアブソーバの巻き取りローラ内への取り付けが容易であると共に、ショックアブソーバの衝撃吸収力の発揮位置の調整も容易なロールスクリーンの巻き取り装置を提供することを課題とする。また、本発明は、ロールスクリーンの巻き取り速度の減速度合いを初期においては小さく、少なくともロールスクリーンの巻き取り最終点付近においては大きくすることができるロールスクリーンの巻き取り装置を提供することを課題とする。
【０００６】
【課題を解決するための手段】
上記した課題を解決するため、請求項１に記載の本発明のロールスクリーンの巻き取り装置は、巻き戻した際のスプリングの反発力により、ロールスクリーンが外周面に巻き取られる巻き取りローラを備えたロールスクリーンの巻き取り装置において、軸方向に沿って突設された雄ねじ部を備え、巻き取りローラを回転自由に支持すると共に、巻き取りローラの取り付けフレームに固定される固定部と、軸方向の一端壁に前記雄ねじ部が螺合する雌ねじ部が貫通形成されていると共に、外周面に巻き取りローラの内周面に形成した回り止め用の係合部に係合する被係合部を備え、巻き取りローラの回転に伴って回転することにより、軸方向に沿ってスライドし、前記固定部の雄ねじ部が一端壁から中空部内に出没可能に設けられた筒状ホルダと、前記固定部の雄ねじ部に本体ケースが接し、前記筒状ホルダの蓋部材にピストンロッドが接した形、又は前記雄ねじ部にピストンロッドが接し、前記蓋部材に本体ケースが接した形で、前記筒状ホルダの中空部内に軸方向に沿って装填されるショックアブソーバと、を有することを特徴とする。
【０００７】
請求項２記載のロールスクリーンの巻き取り装置は、請求項１記載のロールスクリーンの巻き取り装置であって、前記ショックアブソーバの衝撃吸収力が、少なくともロールスクリーンの巻き取り最終点付近において、それ以前の衝撃吸収力よりも強くなるように設定されていることを特徴とする。
【０００８】
請求項３記載のロールスクリーンの巻き取り装置は、請求項２記載のロールスクリーンの巻き取り装置であって、前記ショックアブソーバとして、衝撃吸収力が異なるように設定された２以上のショックアブソーバを使用し、該２以上のショックアブソーバを前記筒状ホルダの中空部内に直列に配置したことを特徴とする。
【０００９】
【発明の実施の形態】
以下、図面に示した実施の形態に基づき本発明をさらに詳細に説明する。図１は、本発明の一の実施の形態にかかるロールスクリーンの巻き取り装置１を示す概略断面図である。すなわち、この巻き取り装置１は、まず、外周にロールスクリーン（図示せず）が巻回される巻き取りローラ２を有して構成される。この巻き取りローラ２は、図示しない収納ケース内に保持され、巻き取ったロールスクリーンが外部に見えないような構成とすることもできる。なお、本実施の形態では、巻き取りローラ２を中空の管状部材から構成している。
【００１０】
巻き取り装置１は、また、いずれも巻き取りローラ２の中空部内に装填される固定部３、筒状ホルダ４、及びショックアブソーバ５を有して構成される。固定部３は、壁等に固定される取り付けフレーム（図示せず）に固定される部材でありる。具体的には、巻き取りローラ２の端部に嵌合可能な大きさで形成された筒部３１と、該筒部３１を巻き取りローラ２に嵌合した際、外方に突出する取り付け軸３２と、軸方向に沿って内方に突出する雄ねじ部３３とを有し、取り付け軸３２を取り付けフレームに固定することで、巻き取りローラ２が筒部３１回りを回転する支持部材として機能する。
【００１１】
筒状ホルダ４は、外径が巻き取りローラ２の内径とほぼ同程度となるように形成されており、一端壁４１には、該一端壁４１を厚み方向に貫通する雌ねじ部４２が形成されている。他端開口部４３には、後述のショックアブソーバ５を中空部４４内に装填した後に装着される蓋部材４５が取り付けられる。また、筒状ホルダ４の外周面には、巻き取りローラ２の内周面に軸方向に沿って形成した係合部である突条部２１に係合する、被係合部である溝４６が軸方向に沿って形成されている（図１（ａ）参照）。
【００１２】
ショックアブソーバ５は、筒状ホルダ４の中空部４４内に軸方向に沿って装填される。装填方向としては軸方向に沿っていればよく、図１（ｂ）に示したように、ピストンロッド５１の先端面が蓋部材４５の内面に当接するように配設されていてもよいし、逆に、本体ケース５２の底面が蓋部材４５の内面に当接するように配設されていてもよい。但し、固定部３の雄ねじ部３３の先端面が筒状ホルダ４の一端壁４１から中空部４４内に突出することにより、ショックアブソーバ５のピストンロッド５１を本体ケース５２に対して相対的に圧縮する方向に移動させるものであるため、図１（ｂ）に示したように、該雄ねじ部３３が本体ケース５２の底面に当接する向きで配設した方が、位置合わせが容易である。
【００１３】
本実施の形態にかかる巻き取り装置１は、次のようにして組み立てられる。すなわち、まず、筒状ホルダ４の雌ねじ部４２に固定部３の雄ねじ部３３を螺合すると共に、ショックアブソーバ５を筒状ホルダ４の他端開口部４３から中空部４４内に装填し、蓋部材４５を他端開口部４３に装着して閉塞する。この状態で、巻き取りローラ２の端部から、筒状ホルダ４側が内方となるような向きで挿入し、固定部３の取り付け軸３２を取り付けフレームに固定する。従って、従来のようにショックアブソーバと、ショックアブソーバのピストンロッドを押圧する部材（ナット部材）を別々に巻き取りローラ２内に配設したりする必要がなく、巻き取りローラ２内への取り付け作業が容易である。また、ショックアブソーバ５の衝撃吸収力の発揮位置の調整は、筒状ホルダ４の雌ねじ部４２に対する雄ねじ部３３のねじ込み量を調整するだけで済み、ショックアブソーバとそのピストンロッド押圧部材であるナット部材とが分離している従来の手段と比較して、容易である。
【００１４】
本実施の形態の巻き取り装置１によれば、巻き取りローラ２に巻き取られているロールスクリーンを引き出すと、巻き取りローラ２に付設されている図示しないコイルスプリング等のスプリングが捻られる。使用する場合は、ロールスクリーンを任意の部位に係合させて映写したりするが、収容する場合には、この係合を解除させる。その結果、ロールスクリーンは、スプリングの反発力により巻き取りローラ２に巻き取られていく。
【００１５】
この際、本実施の形態によれば、巻き取りローラ２と係合している筒状ホルダ４が一緒に回転する。この結果、筒状ホルダ４に形成されて雌ねじ部４２に固定部３の雄ねじ部３３がねじ込まれながら、固定部３の筒部３１に接近する方向に移動していく。このため、雄ねじ部３３は、筒状ホルダ４の中空部４４内に突出していき、ショックアブソーバ５の本体ケース５２の底面を押圧していく。ショックアブソーバ５のピストンロッド５１の先端面は、筒状ホルダ４の蓋部材４５の内面に当接しているため、本体ケース５２の底面が雄ねじ部３３によって押圧されると、ピストンロッド５１が本体ケース５２内に押し込まれていくことになる。これにより、巻き取りローラ２が抵抗を受けながら回転するため、該巻き取りローラ２の回転速度は遅くなり、ロールスクリーンの巻き取り最終点において大きな衝撃を生ずることを防止できる。
【００１６】
ここで、本実施の形態で使用するショックアブソーバ５としては、ロールスクリーンの巻き取り速度をできるだけ早くする一方で、巻き取り最終点において確実に衝撃を吸収できるよう、衝撃吸収力が、少なくともロールスクリーンの巻き取り最終点付近において、それ以前の衝撃吸収力よりも強くなるように設定されているものを用いることが好ましい。例えば、筒状ホルダ４の雌ねじ部４２が雄ねじ部３３に螺合しつつ巻き取りローラ２内を移動していくと、ショックアブソーバ５の本体ケース５２の底面が雄ねじ部３３の先端面により押圧され、これによってピストンロッド５１が本体ケース５２内に押し込まれていくことになるが、この際、ピストンロッドが押し込まれていく初期においては、衝撃吸収力が余り強く働かず、後半部において衝撃吸収力が強く働くように設定されたものを用いることができる。
【００１７】
このような機能を果たすショックアブソーバ５としては、例えば、本体ケース５２内に、軸方向に沿って溝状オリフィス（図示せず）を形成し、このオリフィスの溝幅が中途まで広くて中途から狭くなるもの、あるいはこの溝幅が徐々に狭くなるもの、あるいは本体ケース５２が二重チューブからなり、そのうちのインナーチューブ（図示せず）に軸方向に沿ったオリフィスが形成され、このオリフィスの径が段階的に又は徐々に小さくなるもの等が挙げられる。
【００１８】
また、特開平９−３０３４６５号公報に示されているようなものを用いることもできる。具体的には、図２に示したように、本体ケース５２として、内径の大きな部分５２ａと内径の小さな部分５２ｂを有するものを用い、ピストンロッド５１の先端に下端開口で、周壁にオリフィス５３ａを有し、かつ外径が本体ケース５２の内径の小さな部分５２ｂの内径とほぼ同程度で形成されたピストン５３を有するものを用いることができる。このショックアブソーバ５によれば、ピストン５３が、本体ケース５２内において内径の大きな部分５２ａを通過している間は、該本体ケース５２内に充填された粘性液体がオリフィス５３ａを通じてピストン５３外へ流出するため、余り大きな衝撃吸収力は発揮されない。しかしながら、ピストン５３の位置が内径の小さな部分５２ｂへと移ってきた場合には、オリフィス５３ａが順に閉塞されていき、徐々に衝撃吸収力が大きくなっていく。
【００１９】
さらに、筒状ホルダ４内に衝撃吸収力の異なる複数のショックアブソーバ５を直列に装填した構造とすることもできる。図３に示した例では、２つのショックアブソーバ５，５を装填し、そのうちの一方の衝撃吸収力を弱く設定し、他方の衝撃吸収力を強く設定している。この結果、筒状ホルダ４が巻き取りローラ２内を移動することにより、雄ねじ部３３が一方のショックアブソーバ５の本体ケース５２を底面から押圧すると、まず、衝撃吸収力が弱く設定されているショックアブソーバ５のピストンロッド５１が本体ケース５２内に押し込まれる。次に、衝撃吸収力が強く設定されている他方のショックアブソーバ５のピストンロッド５１が押し込まれる。従って、巻き取りローラ２の回転動作を遅動させるショックアブソーバ５の衝撃吸収力は、前半において弱く、後半において強くなる。
【００２０】
上記のように、ロールスクリーンの少なくとも巻き取り最終点付近における衝撃吸収力が、それ以前の衝撃吸収力よりも強くなるように設定したショックアブソーバ５を用いた場合には、巻き取りローラ２に装填する前に、雄ねじ部３３をねじ込み、ショックアブソーバ５の衝撃吸収力が強くなるポイントを基準として、そこからさらに数回転、例えば２回転ねじ込んで巻き取りローラ２に装填すると共に、この状態でロールスクリーンが完全に巻き取られた状態で設定する。これにより、ロールスクリーンの巻き取り時には、ロールスクリーンが完全に巻き取られる２回転前から大きな衝撃吸収力を働かせることができ、できるだけスムーズな巻き上げ動作と巻き取り最終点での衝撃緩和という機能を発揮させることができる。
【００２１】
【発明の効果】
本発明のロールスクリーンの巻き取り装置は、筒状ホルダの雌ねじ部に固定部の雄ねじ部を螺合すると共に、ショックアブソーバを筒状ホルダ内に装填してから巻き取りローラ内に装着する構造であるため、従来のようにショックアブソーバと、ショックアブソーバのピストンロッドを押圧する部材（ナット部材）を別々に巻き取りローラ内に配設したりする必要がなく、巻き取りローラ内への取り付け作業が容易である。また、ショックアブソーバの衝撃吸収力の発揮位置の調整は、筒状ホルダの雌ねじ部に対する雄ねじ部のねじ込み量を調整するだけで済み、ショックアブソーバとそのピストンロッド押圧部材であるナット部材とが分離している従来の手段と比較して、容易である。
【００２２】
また、ロールスクリーンの少なくとも巻き取り最終点付近における衝撃吸収力が、それ以前の衝撃吸収力よりも強くなるように設定したショックアブソーバを用いた場合には、できるだけスムーズな巻き上げ動作と巻き取り最終点での衝撃緩和という機能を発揮させることができる。
【図面の簡単な説明】
【図１】図１（ａ）は（ｂ）のＡ−Ａ線断面図であり、（ｂ）は、本発明の一の実施の形態にかかるロールスクリーンの巻き取り装置の構成を示す概略断面図である。
【図２】図２は、ショックアブソーバの一例を示す断面図である。
【図３】図３は、２つのショックアブソーバを用いた場合のロールスクリーンの巻き取り装置の構成を示す概略断面図である。
【符号の説明】
１  巻き取り装置
２  巻き取りローラ
３  固定部
３３  雄ねじ部
４  筒状ホルダ
４２  雌ねじ部
４４  中空部
４５  蓋部材
５  ショックアブソーバ
５１  ピストンロッド
５２  本体ケース
【図１】
0003892972.tif 000002
【図２】
0003892972.tif 000003
【図３】
0003892972.tif 000004